(57)【要約】【課題】コンテンツデータの管理情報に含まれている記録時間を利用するとともに、インデックス情報も併せて利用することで、ダビング時により精度よくコンテンツデータを分割記録する。【解決手段】複数のコンテンツデータが一連に記録されたビデオテープ２０ｂからディスク媒体である例えばＨＤ５ｂにコンテンツデータを転送して記録するダビング時に、ＣＰＵ１０は、コンテンツデータに付加されている管理情報に含まれる記録時間をタイマー回路１７で計測し、当該コンテンツデータの記録時間を計測すると、計測後に転送されてくるデータと、計測前に転送されてきたデータとを別ファイルとして分割（タイトル分割）して記録する。【選択図】図１
2008299984.tif 000002
【特許請求の範囲】
【請求項１】
１または複数のコンテンツデータが一連に記録されたテープ媒体からディスク媒体に前記コンテンツデータを転送して記録するダビング時に、前記コンテンツデータを複数ファイルに分割して記録する分割記録手段を有する複合型データ記録装置において、
前記テープ媒体には、各コンテンツデータの先頭部分にインデックス信号が記録されているとともに、各コンテンツデータに番組名や記録時間を含む管理情報が付加されており、
前記管理情報に含まれる記録時間を計測する計測手段を備え、
前記分割記録手段は、前記計測手段により当該コンテンツデータの記録時間を計測すると、前記計測後に転送されてくるデータと、前記計測前に転送されてきたデータとを分割して記録することを特徴とする複合型データ記録装置。
【請求項２】
前記分割記録手段は、前記インデックス信号を検出した場合に前記計測手段の計測時間を確認し、前記計測時間が前記記録時間の予め設定されている一定範囲内である場合には、前記インデックス信号の検出後に転送されてくるデータと、前記インデックス信号の検出前に転送されてきたデータとを分割して記録することを特徴とする請求項１に記載の複合型データ記録装置。
【請求項３】
前記分割記録手段は、前記インデックス信号を検出した場合に前記計測手段の計測時間を確認し、前記計測時間が前記記録時間の一定範囲外である場合には、その時点でダビングを一時停止し、分割の有無を問い合わせるメッセージを表示手段に表示することを特徴とする請求項２に記載の複合型データ記録再生装置。
【請求項４】
前記分割記録手段は、前記メッセージに対してユーザが入力手段を介して分割指示信号を入力した場合には、一時停止状態を解除して、前記インデックス信号の検出後に転送されてくるデータと、前記インデックス信号の検出前に転送されてきたデータとを分割して記録する一方、前記メッセージに対してユーザが入力手段を介して分割不可信号を入力した場合には、一時停止状態を解除して、前記ディスク媒体への記録を分割することなく継続することを特徴とする請求項３に記載の複合型データ記録装置。
【発明の詳細な説明】
【技術分野】
【０００１】
本発明は複合型データ記録装置に関し、特に、テープ媒体とディスク媒体とを備え、テープ媒体からディスク媒体へのデータの転送記録（ダビング）が可能な複合型データ記録装置に関する。
【背景技術】
【０００２】
テープ媒体からディスク媒体へのデータの転送記録（ダビング）を行う場合、従来は、テープ媒体に複数のコンテンツデータが記録されていても、これを記録するディスク媒体側ではこれらを一つのタイトルにまとめて（すなわち、１ファイルとして）記録していた。そのため、再生時に所望のコンテンツデータを再生するのに不便であった。
【０００３】
そこで、このような不便を解消すべく、ダビング実行時に、複数のコンテンツデータを各ファイルに分割して記録する分割記録手段を備えた複合型データ記録装置が提案されている（例えば、特許文献１，２等参照）。
【０００４】
特許文献１に記載の複合型データ記録装置は、転送手段による転送処理の間、他方の媒体において１つのコンテンツを２以上のコンテンツに分割するための処理を行う分割手段とを備えており、この分割手段は、自動分割が選択された場合に、予め設定された分割時間及び分割回数に基づいて分割処理を行う構成となっている。例えば、タイトル分割時間が６０分で、タイトル分割数が３個であるとすると、６０分ごとに３回、自動でタイトル分割を行うようになっている。
【０００５】
また、特許文献２に記載の複合型データ記録装置（複合記録装置）は、磁気テープから読み出されるデータ中にＶＩＳＳ信号を検出した場合に、このＶＩＳＳ信号の前後におけるデータをそれぞれ別ファイルとしてＤＶＤに記録する構成となっている。
【特許文献１】特開２００６−３０２４０８号公報
【特許文献２】特開２００５−２８５２８２号公報
【発明の開示】
【発明が解決しようとする課題】
【０００６】
しかし、上記特許文献１記載のものは、テープ媒体に記録されている各コンテンツの記録時間に関係なく、予め設定されたタイトル分割時間及び分割回数に従って自動的に分割していくものであるため、コンテンツごとに正確に分割することができないといった問題があった。そのため、再生を所望するコンテンツの先頭部分が、分割されたファイルの途中に存在する場合には、そのファイルを再生して、その中に含まれている所望のコンテンツの頭出しをユーザ自身が行わなければならず、再生するまでに手間と時間がかかるといった問題があった。
【０００７】
また、上記特許文献２記載のものは、ＶＩＳＳ信号を検出した場合に必ずそこで前後に分割することになるが、例えば一つのコンテンツを手動操作で記録中に、何らかの理由で記録を一旦中断し、再び記録を開始したような場合には、そのコンテンツの記録途中にもＶＩＳＳ信号が書き込まれることになる。そのため、そのコンテンツをテープ媒体からディスク媒体にダビングしたとき、コンテンツの記録途中のＶＩＳＳ信号が検出されると、その時点でデータが前後に分割されることになり、一つのコンテンツが２つのファイルに分割されてしまうといった問題が発生する可能性があった。
【０００８】
本発明はかかる問題点を解決すべく創案されたもので、その目的は、コンテンツデータの管理情報に含まれている記録時間を利用するとともに、インデックス情報も併せて利用することで、ダビング時により精度よくコンテンツデータを分割記録することのできる複合型データ記録装置を提供することにある。
【課題を解決するための手段】
【０００９】
上記課題を解決するため、本発明の複合型データ記録装置は、１または複数のコンテンツデータが一連に記録されたテープ媒体からディスク媒体に前記コンテンツデータを転送して記録するダビング時に、前記コンテンツデータを複数ファイルに分割して記録する分割記録手段を有する複合型データ記録装置において、前記テープ媒体には、各コンテンツデータの先頭部分にインデックス信号が記録されているとともに、各コンテンツデータに番組名や記録時間を含む管理情報が付加されており、前記管理情報に含まれる記録時間を計測する計測手段を備え、前記分割記録手段は、前記計測手段により当該コンテンツデータの記録時間を計測すると、前記計測後に転送されてくるデータと、前記計測前に転送されてきたデータとを分割して記録することを特徴としている。
【００１０】
このように、コンテンツデータの管理情報に含まれている記録時間を利用して、ダビング開始時にその記録時間を計測手段で計測し、その計測終了時に計測前に転送されてきたデータとその後に転送されてくるデータとを別ファイルとして分割して記録することで、コンテンツデータごとに確実に分割記録することが可能となる。
【００１１】
また、本発明によれば、前記分割記録手段は、前記インデックス信号を検出した場合に前記計測手段の計測時間を確認し、前記計測時間が前記記録時間の予め設定されている一定範囲内である場合には、前記インデックス信号の検出後に転送されてくるデータと、前記インデックス信号の検出前に転送されてきたデータとを分割して記録する構成とすることができる。
【００１２】
インデックス信号は、記録開始の先頭部分に書き込まれる信号であるが、一つのコンテンツを手動操作で記録中に、何らかの理由で記録を一旦中断し、再び記録を開始したような場合には、そのコンテンツの記録途中にもインデックス信号が書き込まれることになる。そのため、そのコンテンツをテープ媒体からディスク媒体にダビングしたとき、インデックス信号の検出のみで記録データを分割したのでは、コンテンツの記録途中のインデックス信号が検出されると、その時点でデータが前後に分割されることになり、ユーザにとっては再生時に２つのファイルを連続再生させなければならないといった煩わしい手間が生じることになる。この場合、そのコンテンツの管理情報に含まれる記録時間が、計測手段により計測された時間に対して予め設定されている一定範囲内（例えば、５分以内等）であるか否かを確認することで、このような記録途中に書き込まれたインデックス信号の検出による記録データの分割を事前に防止することが可能となる。
【００１３】
すなわち、分割記録手段は、インデックス信号を検出した場合に計測手段の計測時間を確認し、計測時間が前記記録時間の一定範囲外である場合（例えば、５分以上異なっている場合）には、その時点でダビングを一時停止し、分割の有無を問い合わせるメッセージを表示手段に表示する構成とすることができる。
【００１４】
すなわち、このような記録時間と一致しないタイミングでインデックス信号を検出した場合には、そのまま分割処理を行うのではなく、分割有無のメッセージを表示することで、ユーザにその後の対応を促すことができる。この場合、表示されているメッセージに対してユーザが入力手段を介して分割指示を入力した場合には、分割記録手段は、一時停止状態を解除して、インデックス信号の検出後に転送されてくるデータと、インデックス信号の検出前に転送されてきたデータとを分割して記録する。一方、表示されているメッセージに対してユーザが入力手段を介して分割不可を入力した場合には、分割記録手段は、一時停止状態を解除して、ディスク媒体への記録を分割することなく継続する。すなわち、そのまま１ファイルとして記録を継続する。これにより、再生時には一つのコンテンツが２つのファイルに分割されてしまうといった不具合の発生を防止することが可能となる。
【発明の効果】
【００１５】
本発明の複合型データ記録装置によれば、テープ媒体からディスク媒体へのコンテンツデータのダビング時、テープ媒体に記録されている各コンテンツデータの管理情報に含まれている記録時間を計測して各コンテンツデータの分割処理を行うことにより、各コンテンツデータを所望の箇所で分割して記録することができる。また、テープ媒体からディスク媒体へのコンテンツデータのダビング時、インデックス信号の検出と管理情報に含まれている記録時間の計測とを組み合わせることによって、より精度よくコンテンツデータの分割記録を行うことができる。これにより、一つのコンテンツデータがその途中で別ファイルに分割されるといった不具合の発生を防止することができるので、ユーザにとっては再生時に２つのファイルを連続再生させなければならないといった煩わしい手間がなく、所望するコンテンツを簡単に検索して再生することが可能となる。
【発明を実施するための最良の形態】
【００１６】
以下、本発明の実施の形態について、図面を参照して説明する。
【００１７】
図１は、本発明の実施の形態に係る複合型データ記録装置の電気的構成を示すブロック図である。
【００１８】
この複合型データ記録装置は、ＴＶ（Television）放送を受信するＴＶアンテナ１、ＴＶアンテナ１により受信された放送信号から所望チャンネルに対応の放送信号を抽出するためのチューニング動作を行うチューナ２、チューナ２により抽出された放送信号について所定の符号化方式に従いデジタル信号に変換するデジタル変換部３、デジタル変換部３により変換されて出力されたデジタル信号をコード化してデジタルデータとして出力するエンコーダ４、エンコーダ４から出力されたデジタルデータが記録されるＨＤ５ｂを駆動制御するＨＤＤ（Hard disk drive）５ａ、着脱可能な記録媒体であるＤＶＤ１６ｂを駆動制御するＤＶＤドライブ１６ａ、着脱可能な記録媒体であるビデオテープ２０ｂへのデータの書き込み及び読み出しを行うビデオテープ装置２０ａ、ＨＤＤ５ａによるＨＤ５ｂへのデジタルデータの書き込み及び読み出しとＤＶＤドライブ１６ａによるＤＶＤ１６ｂへのデジタルデータの書き込み及び読み出しとビデオテープ装置２０ａによるビデオテープ２０ｂへのアナログデータの買い込み及び読み出しとを制御する書込／読出制御部６、ＨＤＤ５ａによりＨＤ５ｂから読み出されたデジタルデータまたはＤＶＤドライブ１６ａによりＤＶＤ１６ｂから読み出されたデジタルデータを入力してデコードし、デジタル信号を出力するデコーダ７、デコーダ７から出力されたデジタル信号を入力してアナログ信号に変換して出力するアナログ変換部８、及びアナログ変換部８から出力されたアナログ信号あるいはビデオテープ装置２０ａによりビデオテープ２０ｂから読み出されたアナログ信号を入力して映像、音声として出力するＴＶ受像機などの出力部９を備えている。
【００１９】
さらに、この複合型データ記録装置は、チューナ２のチューニング動作、エンコーダ４のエンコード動作、デコーダ７のデコード動作及び書込／読出制御部６の動作を制御するＣＰＵ（Central Processing Unit）１０、ＣＰＵ１０がこれらを制御する情報（プログラム、データなど）を含む各種の情報を記憶するＲＡＭ（Random Access Memory）１１及びＲＯＭ（Read Only Memory）１２、外部に設けられたリモートコントローラ（以下、「リモコン」と略記する）１４からの赤外線信号による指令・指示を受信し、データに変換して、ＣＰＵ１０に与える入力部１３、ＯＳＤ（On Screen Display）回路１５、各種時間を計測するタイマー回路１７、及びＥＰＧ（Electric Program Guide）抽出部１８を備えている。
【００２０】
ここでは、ＤＶＤ１６ｂは、ＤＶＤ−Ｒ、ＤＶＤ−ＲＡＭ（ＤＶＤ−ＲＷ（Digital Versatile Disc ReWritable）ともいう）などであってよい。
【００２１】
ＯＳＤ回路１５は、ＣＰＵ１０から与えられるデジタル情報に基づく描画データを作成してアナログ変換部８に出力する。アナログ変換部８は、描画データを入力すると、該描画データのみをアナログ変換して出力部９に出力する。または、描画データとＨＤ５ｂまたはＤＶＤ１６ｂから読み出されてデコーダ７を介して与えられるデータとをアナログ変換して、出力部９に出力する。従って、出力部９には、与えられるデータに基づく画像が表示されることになる。
【００２２】
入力部１３は、リモコン１４からの指令（操作信号）を入力する他、外部からの指令・指示を入力するためのユーザにより操作される各種スイッチやボタンなどを備えている。
【００２３】
リモコン１４は、ダビングを実行するためのダビングキー１４１、カーソルキー１４３、決定キー１４４などを備えている。カーソルキー１４３は、出力部９に表示されるカーソルなどのポインタを上下左右のそれぞれの方向に移動させるための複数種類のキーを含む。
【００２４】
ＥＰＧ抽出部１８は、アンテナ１、チューナ２及びデジタル変換部３を経由して入力されたデジタル情報から、放送信号とともに送信されている番組データのＥＰＧ情報（番組名や放送時間等の情報を含む）を抽出し、抽出したＥＰＧ情報をＣＰＵ１０に与える。
【００２５】
なお、ＨＤＤ５ａによるＨＤ５ｂへの情報の書き込み（記録）／読み出し（再生）、ＤＶＤドライブ１６ａによるＤＶＤ１６ｂへの情報の書き込み（記録）／読み出し（再生）、及びビデオテープ装置２０ａによるビデオテープ２０ｂへの情報の書き込み（記録）／読み出し（再生）は、ＣＰＵ１０の制御の下に書込／読出制御部６を介して行なわれる。書込／読出制御部６は、これらのいずれの媒体に情報の書き込み（記録）／読み出し（再生）を行うかを選択して動作指令を与える。
【００２６】
本実施の形態では、ビデオテープ装置２０ａは、書込／読出制御部６による制御の下、ビデオテープ２０ｂに放送信号である映像データを記録する際に、ＥＰＧ抽出部１８で抽出された当該映像データの番組名や放送時間といった管理情報を記録する。また、記録の開始時にはインデックス信号であるＶＩＳＳ信号の書き込みも行う。
【００２７】
以下の説明において、ダビングの対象とされるデータを映像データであるものとするが、映像データに限られず、音声データであってもよいし、両方を含んでいてもよい。本実施の形態において、「ダビング」とは、ビデオテープ２０ｂに記録されている記録済の映像データをＨＤ５ｂまたはＤＶＤ１６ｂのいずれかのディスク媒体に転送して記録することをいうものとする。
【００２８】
通常、ＨＤ５ｂやＤＶＤ１６ｂに代表されるディスク媒体とビデオテープ２０ｂに代表されるテープ媒体との間でダビングを行う場合、一旦ダビングを開始するとダビングが終了されるまで一連の映像データ、すなわち１つのコンテンツとして記録される。
【００２９】
ここで「１つのコンテンツ」とは、デジタルデータが記録されるディスク媒体の場合は、タイトルやプログラムとも呼ばれるデータ群のことであり、１つの管理データで管理される映像データである。また、アナログデータが記録されるテープ媒体の場合は、録画開始時を除いて途中にＶＩＳＳ（VHS Index Search System）が書き込まれていない映像データのことをいう。このＶＩＳＳは、通常、記録（ダビングを含む）開始時に書き込まれ、記録開始を識別可能な信号である。
【００３０】
ここで、ＶＩＳＳについて簡単に説明する。通常、ビデオテープ２０ｂにコンテンツデータを記録する場合、再生時にテープの走行をコントロールするために、ＣＴＬ（control track signal）信号と呼ばれるパルス信号が記録される。そして、各コンテンツの頭出しが可能となるように、録画開始時にＣＴＬ信号のパルスのデューティを変更することが一般的に行なわれている。このように、録画開始位置を他の部分と区別できるように書き込まれた特別なデューティのＣＴＬ信号を、ＶＩＳＳあるいはＶＩＳＳ信号という。
【００３１】
上記したように、デジタルデータが記録されるディスク媒体とアナログデータが記録されるテープ媒体との間のダビングにおいては、ダビング先においてコンテンツ（以下「タイトル」ともいう）を分割したい場合、途中で一旦ダビングを停止して再開するという手間が必要となる。
【００３２】
このような煩わしさを解消するために、本実施の形態におけるディスク媒体とテープ媒体との複合型データ記録装置は、ユーザ所望の位置でタイトルの分割を行う。なお、以下の説明においては、ビデオテープ２０ｂとＨＤ５ｂとの間でダビングが実行されるものとして説明するが、ビデオテープ２０ｂとＤＶＤ１６ｂとの間で行なわれるものであってもよい。
【００３３】
本実施の形態において、ビデオテープ２０ｂからＨＤ５ｂにコンテンツデータを転送して記録するダビング処理時に実行されるタイトル分割処理の具体例について、図２及び図３に示すフローチャートを参照して説明する。なお、これらのフローチャートに示す処理は、例えばＲＯＭ１１に予め格納されたプログラムを、ＣＰＵ１０が読み出して実行することにより実現される。
【００３４】
また、上記したように、ビデオテープ２０ｂには、複数のコンテンツデータに各コンテンツデータの管理情報（番組名や記録時間（放送時間に相当））が記録されているとともに、各コンテンツデータの記録開始位置にはインデックス信号（ＶＩＳＳ信号）が記録されているものとする。
【００３５】
＜具体例１＞
本具体例１は、コンテンツデータの管理情報に含まれている記録時間を利用して、ダビング処理時にタイトル分割を行う例である。以下、図２に示すフローチャートを参照して説明する。
【００３６】
ビデオテープ装置２０ａにダビング元のビデオテープ２０ｂを装填し、ダビング先にＨＤＤ５ａのＨＤ５ｂを選択してリモコン１４のダビングキー１４１をユーザが操作すると（ステップＳ１）、この操作信号を入力部１３を介して受信したＣＰＵ１０は、ビデオテープ２０ｂからＨＤ５ｂへのダビング処理を開始する（ステップＳ２）。
【００３７】
すなわち、ＣＰＵ１０は、書込／読出制御部６を制御して、ビデオテープ２０ｂに記録されている最初のコンテンツデータを読み出し、ＨＤＤ５ａに転送してＨＤ５ｂに記録する処理を開始する（ステップＳ３）。
【００３８】
このとき、ＣＰＵ１０は、最初のコンテンツデータの管理情報に含まれている記録時間を読み出し、タイマー回路１７を起動して、この読み出した記録時間の計測を開始する（ステップＳ４）。そして、タイマー回路１７による計測時間が記録時間になったか否かを監視する（ステップＳ５）。その結果、計測時間が記録時間になると（ステップＳ５でＹｅｓと判断されると）、ＣＰＵ１０は、その時点で別のファイルを作成し、計測前に転送されてきたデータに対し、その後に転送されてくるデータを作成した別のファイルに記録することで、計測前のコンテンツデータと計測後のコンテンツデータとを別ファイルとして分割（すなわち、タイトル分割）して記録する（ステップＳ６）。
【００３９】
この後、ＣＰＵ１０は、ダビングすべき次のコンテンツデータがビデオテープ２０ｂに記録されているか否かを確認し（ステップＳ７）、次のコンテンツデータがある場合には、ステップＳ３に戻って、次のコンテンツデータの転送、記録処理を継続する。一方、次のコンテンツデータが無い場合には、ダビング処理を終了する。
【００４０】
このように、本具体例１では、コンテンツデータの管理情報に含まれている記録時間を利用して、ダビング開始時にその記録時間をタイマー回路１７で計測し、その計測終了時に計測前に転送されてきたデータとその後に転送されてくるデータとを別ファイルとして分割して記録することで、コンテンツデータごとに確実に分割記録することができ、ダビング時に同時にタイトル整理がされることになる。
【００４１】
＜具体例２＞
本具体例２は、コンテンツデータの記録開始時に書き込まれているインデックス信号（ＶＩＳＳ信号）の検出と、コンテンツデータの管理情報に含まれている記録時間の計測とを組み合わせて、ダビング処理時にタイトル分割を行う例である。以下、図３に示すフローチャートを参照して説明する。
【００４２】
ビデオテープ装置２０ａにダビング元のビデオテープ２０ｂを装填し、ダビング先にＨＤＤ５ａのＨＤ５ｂを選択してリモコン１４のダビングキー１４１をユーザが操作すると（ステップＳ１１）、この操作信号を入力部１３を介して受信したＣＰＵ１０は、ビデオテープ２０ｂからＨＤ５ｂへのダビング処理を開始する（ステップＳ１２）。
【００４３】
すなわち、ＣＰＵ１０は、書込／読出制御部６を制御して、ビデオテープ２０ｂに記録されている最初のコンテンツデータを読み出し、ＨＤＤ５ａに転送してＨＤ５ｂに記録する処理を開始する（ステップＳ１３）。
【００４４】
このとき、ＣＰＵ１０は、最初のコンテンツデータの管理情報に含まれている記録時間を読み出し、タイマー回路１７を起動して、この読み出した記録時間の計測を開始する（ステップＳ１４）。
【００４５】
次に、ＣＰＵ１０は、ビデオテープ装置２０ａから転送されてくるデータの中にＶＩＳＳ信号があるか否かを監視する（ステップＳ１５）。そして、ＶＩＳＳ信号を検出すると（ステップＳ５でＹｅｓと判断されると）、その時点でタイマー回路１７による計測時間が記録時間の一定範囲（例えば、前後５分の範囲）内であるか否かを確認する（ステップＳ１６）。例えば、記録時間が６０分である場合、ＶＩＳＳ信号が検出された時点でのタイマー回路１７の計測時間が５５分から６５分の間の任意の時間であるか否かを確認する。
【００４６】
その結果、一定範囲内である場合（ステップＳ１６でＹｅｓと判断された場合）には、検出されたＶＩＳＳ信号は次のコンテンツデータの先頭部分に書き込まれている信号であると判断し、ＣＰＵ１０は、その時点で別のファイルを作成し、ＶＩＳＳ信号検出前に転送されてきたデータに対し、その後に転送されてくるデータを作成した別のファイルに記録することで、ＶＩＳＳ信号検出前のコンテンツデータとＶＩＳＳ信号検出後のコンテンツデータとを別ファイルとして分割（すなわち、タイトル分割）して記録する（ステップＳ１７）。
【００４７】
この後、ＣＰＵ１０は、ダビングすべき次のコンテンツデータがビデオテープ２０ｂに記録されているか否かを確認し（ステップＳ１８）、次のコンテンツデータがある場合（ステップＳ１８でＹｅｓと判断された場合）には、ステップＳ１３に戻って、次のコンテンツデータの転送、記録処理を継続する。一方、次のコンテンツデータが無い場合（ステップＳ１８でＮｏと判断された場合）には、全てのコンテンツデータのダビングが完了したので、ダビング処理を終了する。
【００４８】
一方、ステップＳ１６での判断が一定範囲外である場合（Ｎｏと判断された場合）、例えば計測時間が４５分等であった場合には、そのＶＩＳＳ信号は転送中の一つのコンテンツデータの最後、つまり次のコンテンツデータの先頭部分を示すＶＩＳＳ信号ではなく、例えばユーザの一時停止操作等によって書き込まれたＶＩＳＳ信号であると判断し、その時点でダビングを一時停止する（ステップＳ１９）。すなわち、ビデオテープ装置２０ａの再生動作とＨＤＤ５ａの記録（書込み）動作の双方を一時停止状態とする。
【００４９】
そして、ＣＰＵ１０は、ＯＳＤ回路１５により、例えば図４に示すような分割の有無を問い合わせるメッセージを出力部９であるＴＶ受像機の画面に表示し（ステップＳ２０）、ユーザによりその後の指示が入力されたか否かを監視する（ステップＳ２１）。
【００５０】
すなわち、記録時間と一致しないタイミングでＶＩＳＳ信号を検出した場合には、そのまま分割処理を行うのではなく、図４に示すような分割有無のメッセージを表示することで、ユーザにその後の対応を促すことができる。
【００５１】
このメッセージに対してユーザがリモコン１４より分割指示を入力した場合、すなわちリモコン１４のカーソルキー１４３を操作して表示画面の「ＹＥＳ」を選択し、決定キー１４４を操作した場合（ステップＳ２１でＹｅｓ、ステップＳ２２でＹｅｓと判断された場合）、この選択信号を入力部１３を介して受信したＣＰＵ１０は、ビデオテープ装置２０ａとＨＤＤ５ａの双方の一時停止状態を解除してダビング処理を再開し（ステップＳ２３）、ステップＳ１７に進む。すなわち、その時点で別のファイルを作成し、ＶＩＳＳ信号検出前に転送されてきたデータに対し、その後に転送されてくるデータを作成した別のファイルに記録することで、ＶＩＳＳ信号検出前のコンテンツデータとＶＩＳＳ信号検出後のコンテンツデータとを別ファイルとして分割（すなわち、タイトル分割）して記録する。
【００５２】
一方、表示されているメッセージに対してユーザがリモコン１４より分割不可を入力した場合、すなわちリモコン１４のカーソルキー１４３を操作して表示画面の「ＮＯ」を選択し、決定キー１４４を操作した場合（ステップＳ２１でＹｅｓ、ステップＳ２２でＮｏと判断された場合）、この選択信号を入力部１３を介して受信したＣＰＵ１０は、ビデオテープ装置２０ａとＨＤＤ５ａの双方の一時停止状態を解除してダビング処理を再開し（ステップＳ２４）、ステップＳ１３に進む。すなわち、そのまま１ファイルとして記録を継続する。これにより、再生時には一つのコンテンツが２つのファイルに分割されてしまうといった不具合の発生を防止することができる。
【００５３】
このように、本具体例２では、ＶＩＳＳ信号の検出と管理情報に含まれている記録時間の計測とを組み合わせることによって、より精度よくコンテンツデータの分割記録を行うことができる。
【図面の簡単な説明】
【００５４】
【図１】本発明の実施の形態に係る複合型データ記録装置の電気的構成を示すブロック図である。
【図２】ビデオテープからＨＤにコンテンツデータを転送して記録するダビング処理時に実行されるタイトル分割処理の具体例１を説明するためのフローチャートである。
【図３】ビデオテープからＨＤにコンテンツデータを転送して記録するダビング処理時に実行されるタイトル分割処理の具体例２を説明するためのフローチャートである。
【図４】分割有無のメッセージの表示例を示す説明図である。
【符号の説明】
【００５５】
１  アンテナ
２  チューナ
３  デジタル変換部
４  エンコーダ
５ａ  ＨＤＤ
５ｂ  ＨＤ
６  書込／読出制御部
７  デコーダ
８  アナログ変換部
９  出力部
１０  ＣＰＵ
１１  ＲＡＭ
１２  ＲＯＭ
１３  入力部
１４  リモコン
１５  ＯＳＤ回路
１６ａ  ＤＶＤドライブ
１６ｂ  ＤＶＤ
１７  タイマー回路
１８  ＥＰＧ抽出部
２０ａ  ビデオテープ装置
２０ｂ  ビデオテープ
１４  リモコン
１４１ダビングキー
１４３  カーソルキー
１４４  決定キー
【図１】
2008299984.tif 000003
【図２】
2008299984.tif 000004
【図３】
2008299984.tif 000005
【図４】
2008299984.tif 000006